(57)【要約】  表示パネル及び表示装置であって、表示パネルは、基板（１０）と、フォトルミネセンス表示セル群（２０）と、フィルター層（３０）とを備える。前記基板（１０）の片側に、異なる色の光を発光する複数のフォトルミネセンス表示セル（２１）を含むフォトルミネセンス表示セル群（２０）が配置されている。前記フォトルミネセンス表示セル（２１）の光出射側にフィルター層（３０）が設けられ、前記フィルター層（３０）は、異なる色の光を透過させる複数のフィルター（３１）を有し、前記フォトルミネセンス表示セル（２１）が発光する色と、当該フォトルミネセンス表示セル（２１）の光出射側に設けられた前記フィルター（３１）が透過する光の色とは、同じである。
2021510206.tif 000002
【特許請求の範囲】
【請求項１】
基板と、
前記基板の片側に配置され、異なる色の光を発光するための複数のフォトルミネセンス表示セルを含むフォトルミネセンス表示セル群と、
前記フォトルミネセンス表示セルの光出射側に設けられ、異なる色の光を透過させる複数のフィルターを有するフィルター層と、を含み、
前記フォトルミネセンス表示セルが発光する光の色と、前記フォトルミネセンス表示セルの光出射側に設けられた前記フィルターが透過する光の色とは、同じである
ことを特徴とする表示パネル。
【請求項２】
隣接する前記フィルターの間には、隣接する２つの前記フィルターを区画するための色区画構造が設けられている
ことを特徴とする請求項１に記載の表示パネル。
【請求項３】
前記色区画構造は、ブラックマトリックスを含み、又は、隣接する２つの前記フィルターのエッジが互いに重ね合わせて形成される
ことを特徴とする請求項２に記載の表示パネル。
【請求項４】
前記フィルター層は、前記基板により支持されており、
前記フォトルミネセンス表示セルは、パッケージフィルム層によってパッケージされている
ことを特徴とする請求項１に記載の表示パネル。
【請求項５】
前記フィルター層は、前記フォトルミネセンス表示セルの前記基板から離れる側に設けられている
ことを特徴とする請求項４に記載の表示パネル。
【請求項６】
前記表示パネルは、前記表示パネルの内部に配置されたタッチ構造をさらに含み、
前記タッチ構造の前記基板への投影は、前記色区画構造の前記基板への投影の範囲内に位置する
ことを特徴とする請求項２に記載の表示パネル。
【請求項７】
前記タッチ構造は、互いに平行な複数の第１タッチ電極と、互いに平行な複数の第２タッチ電極とを含み、
前記複数の第１タッチ電極と前記複数の第２タッチ電極とは、互いに交差し、且つ互いに絶縁される
ことを特徴とする請求項６に記載の表示パネル。
【請求項８】
前記第２タッチ電極は、前記第１タッチ電極と同層に配置され、前記第１タッチ電極により間隔をあけて配置された複数の第２サブタッチ電極を含み、
前記第２サブタッチ電極の間は、ブリッジによって接続され、
前記ブリッジと前記第１タッチ電極の間は、絶縁層または絶縁パターンを配置することによって互いに絶縁されている
ことを特徴とする請求項７に記載の表示パネル。
【請求項９】
前記第１タッチ電極と前記第２タッチ電極とは、前記色区画構造によって互いに絶縁されている
ことを特徴とする請求項７に記載の表示パネル。
【請求項１０】
前記基板上に、複数の開口を有する画素限定層がさらに設けられ、
前記フォトルミネセンス表示セルは、前記開口の位置に配置され、
前記画素限定層は、遮光性材料からなる
ことを特徴とする請求項１に記載の表示パネル。
【請求項１１】
前記画素限定層上に、上面の面積が下面の面積より大きいスペーサがさらに設けられている
ことを特徴とする請求項１０に記載の表示パネル。
【請求項１２】
隣接する前記フィルターの間に、ブラックマトリックスを含む色区画構造が設けられ、
前記ブラックマトリックスの前記基板への投影位置は、前記画素限定層の前記基板への投影位置に対応する
ことを特徴とする請求項１０に記載の表示パネル。
【請求項１３】
前記フォトルミネセンス表示セルは、パッケージフィルム層によってパッケージされており、
前記タッチ構造と前記パッケージフィルム層との間には緩衝層がさらに設けられている
ことを特徴とする請求項６に記載の表示パネル。
【請求項１４】
前記フィルター層の前記フォトルミネセンス表示セルから離れる側に保護層をさらに設けられ、
前記保護層は、光学透明接着剤又は感圧接着剤を介して前記タッチ構造のタッチ操作面に貼り付け固定され、
前記保護層は、１層以上設けられている
ことを特徴とする請求項１に記載の表示パネル。
【請求項１５】
請求項１から１４のいずれか１項に記載の表示パネルを備えた表示装置。
【発明の詳細な説明】
【技術分野】
【０００１】
本出願は、２０１８年１月１１日に出願された出願番号２０１８１００２９３１９.５に基づく中国出願の優先権を主張し、その内容全体は参照により本明細書に組み込まれる。
【０００２】
本開示は、表示技術の分野に属し、特に、表示パネル及び表示装置に関する。
【背景技術】
【０００３】
有機電界発光素子(ＯｒｇＡｎｉｃ  Ｌｉｇｈｔ−Ｅｍｉｔｔｉｎｇ  Ｄｅｖｉｃｅ：ＯＬＥＤ)は、液晶表示装置に比べて、自発光、応答が速く、高輝度、薄型化などの多くの利点を有し、次世代の主流の表示技術となり、特に、そのフレキシブル、屈曲性の特性により、フレキシブル表示として好ましい。
【０００４】
ＯＬＥＤは、陽極と発光層(Ｅｍｉｔｔｉｎｇ  Ｌａｙｅｒ、ＥＭＬと略記)と陰極とからなるサンドイッチ構造を有する電流注入型の発光表示素子であり、通電された後、陽極の正孔と陰極の電荷が発光層で結合してエネルギーを放出し、有機発光物質の分子へエネルギーが伝送され、それを基底状態から励起状態に遷移させる。励起状態が不安定となり、励起された分子が励起状態から基底状態に戻り、放射遷移の過程で発光現象が生じる。ＯＬＥＤは、金属層(例えば、当該金属層は、陰極、または、上部発光性ＯＬＥＤにおいて陽極と基板との間に配置された反射層など、上部発光性ＯＬＥＤの陽極)を含み、ＯＬＥＤの表面にある多くの金属は、外部環境光に対する反射率が高く、反射された光は、ＯＬＥＤの表示効果に影響を及ぼすことがある。
【発明の概要】
【０００５】
本開示の実施例は、ＯＬＥＤにおいて円偏光板を設けることにより、ＯＬＥＤの厚さが厚くなり、フレキシブルな屈曲性が損なわれるという問題を解決することができる表示パネル及び表示装置を提供する。
【０００６】
上記目的を達成するために、本開示の実施例は、以下の技術的解決策を採用する。
【０００７】
本開示の一実施例として、基板と、フォトルミネセンス表示セル群と、フィルター層とを備えた表示パネルを提供する。前記基板の片側に、異なる色の光を発光する複数のフォトルミネセンス表示セルを含むフォトルミネセンス表示セル群が配置されている。前記フォトルミネセンス表示セルの光出射側にフィルター層が設けられ、前記フィルター層は、異なる色の光を透過させる複数のフィルターを有し、前記フォトルミネセンス表示セルが発光する光の色と、前記フォトルミネセンス表示セルの光出射側に設けられた前記フィルターが透過する光の色とが、同じである。
【０００８】
一実施例によれば、隣接する２つのフィルターを区画するための色区画構造が、隣接するフィルターの間に設けられる。
【０００９】
一実施例によれば、色区画構造は、ブラックマトリックスを含むか、又は、色区画構造は、隣接する２つのフィルターのエッジが互いに重ね合わせて形成される。
【００１０】
一実施例によれば、フィルター層は基板によって支持され、前記フォトルミネセンス表示セルはパッケージフィルム層によってパッケージされている。
【００１１】
一実施例によれば、フィルター層は、フォトルミネセンス表示セルの基板から離れる側に配置される。
【００１２】
一実施例によれば、表示パネルは、タッチ構造をさらに含み、タッチ構造は、表示パネルの内部に配置され、フィルター層上の隣接するフィルターの間に色区画構造が配置され、タッチ構造の基板上への投影は、色区画構造の基板上への投影の範囲内に位置する。
【００１３】
一実施例によれば、タッチ構造は、互いに平行な複数の第１タッチ電極と、互いに平行な複数の第２タッチ電極とを含み、複数の第１タッチ電極と複数の第２タッチ電極とは、互いに交差し、且つ互いに絶縁される。
【００１４】
一実施例によると、第２タッチ電極は、第１タッチ電極と同層に配置され、第１タッチ電極により間隔をあけて設けられた複数の第２サブタッチ電極を含み、第２サブタッチ電極の間は、ブリッジによって接続され、ブリッジと第１タッチ電極の間は、絶縁層または絶縁パターンを配置することによって互いに絶縁される。
【００１５】
一実施例によれば、隣接するフィルターの間に色区画構造が設けられ、第１タッチ電極と第２タッチ電極は、色区画構造によって互いに絶縁される。
【００１６】
本発明の一実施例によれば、基板上に、複数の開口を含む画素限定層をさらに設けられ、フォトルミネセンス表示セルは開口に位置し、画素限定層は遮光性材料で形成される。
【００１７】
一実施例によれば、画素限定層上にスペーサがさらに設けられ、スペーサの上面の面積は下面の面積より大きい。
【００１８】
一実施例によれば、隣接するフィルターの間に色区画構造が設けられ、色区画構造はブラックマトリックスを含む。ブラックマトリックスの基板への投影は、画素限定層の基板への投影位置に対応する。
【００１９】
一実施例によれば、フォトルミネセンス表示セルはパッケージフィルム層によってパッケージされ、タッチ構造とパッケージフィルム層との間に緩衝層をさらに設けられ、緩衝層は有機層又は無機層又はその両方の複合体であってもよい。
【００２０】
実施例によれば、フィルター層のフォトルミネセンス表示セルから離れた側に保護層がさらに設けられる。保護層は、光学透明接着剤又は光学透明樹脂又は感圧接着剤により、タッチ構造のタッチ操作面と貼り合わされて固定される。ここで、保護層は、１層または複数層設けることができる。
【００２１】
本開示の他の実施例は、上記いずれかの表示パネルを備えた表示装置を提供する。
【００２２】
本開示の実施例の表示パネルおよび表示装置は、基板と、基板上に設けられた複数のフォトルミネセンス表示セル群とを備え、フォトルミネセンス表示セル群は、異なる色の光を発光する複数のフォトルミネセンス表示セルを含み、フォトルミネセンス表示セルの光出射側に、異なる色の光を透過させる複数のフィルターを含むフィルター層が設けられ、フォトルミネセンス表示セルが発光する光の色と、当該フォトルミネセンス表示セルの光出射側に設けられたフィルターが透過する光の色とは、同じである。フォトルミネセンス表示セルの光出射側に、フォトルミネセンス表示セルが発光する光の色に対応するフィルターからなるフィルター層を設けることにより、外部で光出射側から入射する自然光は、まず、フィルター層を通過して表示パネルの内部に入射し、単色の光のみを透過させるフィルター層は、大部分の光を遮断し、表示パネルの内部に入射した光の一部は、表示パネルの内部の金属材料やフォトルミネセンス素子のマイクロキャビティで反射される時に一部の光強度を失い、再びフィルター層ーを経過して出射される際に、反射光が再びフィルター層のフィルタリング作用を経て、出射された反射光の光強度が非常に小さくなり、これにより、表示パネルに反射を低減するための円偏光板を設ける必要がなくなり、表示パネルの厚さを薄くすることができるという効果を有し、本開示の実施例の表示パネルは、フレキシブル表示に用いる場合に、薄くなった表示パネルが折れ易くなり、折り機能を容易に実現することができる。
【００２３】
本発明の実施例又は関連技術における解決手段をより明確に説明するために、実施例又は関連技術の説明に必要な図面を簡単に説明すると、以下の説明における図面は本発明の実施例の一部に過ぎず、当業者であれば、創造的な労力を伴うことなく、これらの図面に基づいて他の図面を取得することができることは明らかである。
【図面の簡単な説明】
【００２４】
【図１】本開示の実施例によって提供される表示パネルの階層構造の模式図１である。
【図２】本開示の実施例によって提供される表示パネルの階層構造の模式図２である。
【図３】本開示の実施例によって提供される表示パネルの階層構造の模式図３である。
【図４】本開示の実施例によって提供される表示パネルの階層構造の模式図４である。
【図５】本開示の実施例によって提供される表示パネルの階層構造の模式図５である。
【図６】本開示の実施例によって提供される表示パネルの階層構造の模式図６である。
【図７】本開示の実施例に係る表示パネルの板面構造の模式図１である。
【図８】図７のＡ１−Ａ２−Ａ３−Ａ４−Ａ５−Ａ６の線の断面図１である。
【図９】本開示の実施例による表示パネルの板面構造の模式図２である。
【図１０】図９のＢ−Ｂの断面図１である。
【図１１】図９のＢ−Ｂの断面図２である。
【図１２ａ】図９のＢ−Ｂの断面図３である。
【図１２ｂ】図９のＢ−Ｂの断面図４である。
【図１２ｃ】図９のＢ−Ｂの断面図５である。
【図１２ｄ】図９のＢ−Ｂの断面図６である。
【図１３】図９のＢ−Ｂの断面図７である。
【図１４】本開示の実施例によって提供される表示パネルの階層構造の模式図７である。
【図１５】図７のＡ１−Ａ２−Ａ３−Ａ４−Ａ５−Ａ６の線の断面図２である。
【図１６】本開示の実施例によって提供される表示パネルの階層構造の模式図８である。
【発明を実施するための形態】
【００２５】
本開示の実施例における技術的解決策は、本開示の実施例における添付図面と併せて、以下に明確に、完全に説明され、説明される実施例は、本開示の一部の実施例にすぎず、全ての実施例ではないことが明らかである。本開示の実施例に基づいて、当業者が創造的な労働をすることなく得られる全ての他の実施例は、本開示の保護範囲に属する。
【００２６】
従来技術では、ＯＬＥＤの光出射側に円偏光板を設けることで反射を低減することが一般的であり、ＯＬＥＤの光射出面から入射した環境光は円偏光板を通過して左回り(右回り)の円偏光に変更され、左回り(右回り)の円偏光はＯＬＥＤ上の金属層で反射し、反射した円偏光は右回り(左回り)であり、右回り(左回り)の円偏光は円偏光板を透過して出射されず、ＯＬＥＤにおける自然光の反射現象を低減する。
【００２７】
しかしながら、円偏光板自体の厚みが大きいため、ＯＬＥＤ内に配置すると、ＯＬＥＤ全体の厚みが厚くなることは避けられず、且つ、弾性率が大きく、脆性が強く、フレキシブルＯＬＥＤの可撓性や折り曲げ性に不利である。
【００２８】
本開示の実施例は表示パネルを提供し、図１に示したように、基板１０と、基板１０上に設けられた、互いに異なる色の光を発光する複数のフォトルミネセンス表示セル２１を含むフォトルミネセンス表示セル群２０と、フォトルミネセンス表示セル２１の光出射側に設けられた、互いに異なる色の光を透過する複数のフィルター３１を含むフィルター層３０とを備え、フォトルミネセンス表示セル２１が発光する光の色と、フォトルミネセンス表示セル２１の光出射側に設けられたフィルター３１が透過する光の色とは、同じである。
【００２９】
ここで、第１に、基板１０上に設けられた複数のフォトルミネセンス表示セル群２０は、異なる色の光を発光するための複数のフォトルミネセンス表示セル２１を有しているが、本発明においては、フォトルミネセンス表示セル群２０を構成するフォトルミネセンス表示セル２１の数や、複数のフォトルミネセンス表示セル２１のそれぞれ発光する色は特に限定されない。表示パネルは、例えば、ＲＧＢカラー表示のものであっても良く、図１に示すように、赤色光を発光するフォトルミネセンス表示セル２１、緑色光を発光するフォトルミネセンス表示セル２１、青色光を発光するフォトルミネセンス表示セル２１の３つのフォトルミネセンス表示セル２１から構成されている。又は、表示パネルは、図２に示すように、ＲＧＢＷカラー表示の表示パネルであってもよく、フォトルミネセンス表示セル群２０は、赤色光を発光するフォトルミネセンス表示セル２１、緑色光を発光するフォトルミネセンス表示セル２１、青色光を発光するフォトルミネセンス表示セル２１、白色光を発光するフォトルミネセンス表示セル２１の４つのフォトルミネセンス表示セル２１から構成される。または、表示パネルのカラー表示を行う可能であれば、異なる色の光を発光する他の複数のフォトルミネセンス表示セル２１からなるフォトルミネセンス表示セルセット２０であってもよい。
【００３０】
第２に、図１に示すように、フォトルミネセンス表示セル２１の光出射側に配置されたフィルター層３０は、各フォトルミネセンス表示セル２１の光出射側にそれぞれ対応して配置された、互いに異なる色の光を透過する複数のフィルター３１を備えている。ここで、フィルター３１は、その投影下(図１に示す位置関係の投影下)に位置するフォトルミネセンス表示セル２１が発光する、対応する色の光を透過させるものであり、従って、フォトルミネセンス表示セル２１が発光する光の色と、このフォトルミネセンス表示セル２１の光出射側に設けられたフィルター３１が透過する光の色とは、同一となる。例えば、フォトルミネセンス表示セル群２０が、赤色光を発光するフォトルミネセンス表示セル２１、緑色光を発光するフォトルミネセンス表示セル２１、及び、青色光を発光するフォトルミネセンス表示セル２１から構成されている場合、赤色光を発光するフォトルミネセンス表示セル２１の光出射側に配置されているフィルター３１は、赤色光のみを透過する赤色フィルター３１であり、同様に、緑色光を発光するフォトルミネセンス表示セル２１の光出射側に配置されているフィルター３１は、緑色光のみを透過する緑色フィルター３１であり、青色光を発光するフォトルミネセンス表示セル２１の光出射側に配置されているフィルター３１は、青色光のみを透過する青色フィルター３１である。また、フォトルミネセンス表示セル群２０が、白色光を発光するフォトルミネセンス表示セル２１を更に備える場合、白色光を発光するフォトルミネセンス表示セル２１の光出射側に配置されるフィルター３１は、透明なフィルター３１、  
【００３１】
すなわち、多種の光が混合された白色光を透過させることができるフィルターである。
【００３２】
第３に、フォトルミネセンス表示セル２１と、これに対応するフィルター３１との対応関係ついては、フォトルミネセンス表示セル２１が発光する光は、対応するフィルター３１を透過して射出することが可能であればよく、本開示の実施例は完全に対応する形状に限定されるものではない。ここで、例示的に、フィルター３１のフォトルミネセンス表示セル２１上への投影境界は、フォトルミネセンス表示セル２１のサイズよりも僅かに小さくてもよいし、フォトルミネセンス表示セル２１のサイズよりも僅かに大きくてもよい。
【００３３】
第４に、フォトルミネセンス表示セル２１は、陽極と、陰極と、前記陽極と前記陰極との間に位置する発光層とを備え、発光層は、発光の原理によって、有機発光層又は量子ドット発光層などを含み、例示的に、有機発光層の例を挙げて発光層を説明する。フォトルミネセンス表示素子は、その光射出方向によって上部発光と下部発光の２つに分類されるが、上部発光と下部発光は、発光層に対する陰極と陽極の位置関係が変化するものであり、その発光原理は同じであることは、当業者とって理解される。以下、上部発光を例として説明する。通常、フォトルミネセンス表示セル２１の少なくとも金属陽極や、陽極と基板との間に介在する反射層において、外部自然光の反射が生じ易い。
【００３４】
第５に、本発明の実施例において、基板１０の材質は、特に限定されない。ガラス基板であってもよいし、フレキシブル基板であってもよく、本開示の実施例における基板１０がフレキシブル基板である場合には、折り曲げないし折り畳みの機能を容易に実現することができる。ここで、図１に示す基板１０は、フレキシブル又はガラス基板本体と、基板上に形成された、フォトルミネセンス表示セル群２０の発光を駆動するための背板及びその保護部材とを少なくとも含み、ここで、一例として、背板は、ＬＴＰＳ背板、Ｏｘｉｄｅ背板、有機ＴＦＴ背板などであり、保護部材は、感圧接着剤又は光透過性接着剤によって基板１０に接着され、保護部材の製造材料は、ポリイミド(ＰＩ)、ポリエチレンテレフタレート(ＰＥＴ)、ポリエチレンナフタレート(ＰＥＮ)、ポリウレタン(ＰＵ)、ポリカーボネート(ＰＣ)などであってもよいことは、当業者とって理解される。
【００３５】
第６に、本開示の実施例において、表示パネルのパッケージ方式は、特に限定されず、基板１０上にフォトルミネセンス表示セル群２０が作成された後、薄膜パッケージを行う薄膜パッケージ方式であってもよく、表示パネルをキャップパッケージを行うキャップパッケージ方式であってもよい。
【００３６】
本開示の表示パネルは、基板と、前記基板上に設けられたフォトルミネセンス表示セル群とを備え、前記フォトルミネセンス表示セル群は、異なる色の光を発光する複数のフォトルミネセンス表示セルを含み、前記フォトルミネセンス表示セルの光の出射側に、異なる色の光を透過する複数のフィルターを含むフィルター層が設けられ、前記フォトルミネセンス表示セルが発光する光の色と、前記フォトルミネセンス表示セルの光射出側に設けられたフィルタが透過する光の色とが同一である。フォトルミネセンス表示セルの光出射側に、フォトルミネセンス表示セルが発光する色に対応するフィルターからなるフィルター層を設けることにより、外部で射出側から入射する自然光は、まずフィルター層を介して表示パネルの内部に入射し、単一色の光のみを透過するフィルター層は、大部分の光を遮断し、表示パネルの内部に入射る光の少ない部分は、表示パネルの内部の金属材料およびフォトルミネセンス素子のマイクロキャビティで反射される際に一部の光を損失し、再びフィルター層を経て出射される際に反射光が再びフィルター層のフィルタリング作用を経て、出射された反射光の強度がさらに低下し、出射された反射光の強度が非常に小さくなり、これにより、表示パネルに反射を低減するために円偏光板を設ける必要がなくなり、表示パネルの厚さを薄くすることができるという効果を有し、本開示の表示パネルは、フレキシブル表示に用いる場合に薄くなった表示パネルが折れ易くなり、折り機能を容易に実現することができる。
【００３７】
図３に示すように、隣接する２つのフィルター３１を区画するための色区画構造３２が、隣接するフィルター３１の間に設けられることが好ましい。
【００３８】
図３に示すように、フィルター層３０を構成する複数のフィルター３１のうち、隣接する２つのフィルター３１の間に色区画構造３２を設けることによって、隣接する２つの画素セルの射出光の色を分離して混色を回避するとともに、隣接する２つのフィルター３１の間の接合の位置での光漏れを回避して、表示パネルの色表示の正確性を向上させることができる一方、色区画構造３２は、隣接する２つのフィルター３１の間の接合位置において外部から入射する自然光の反射の問題を吸収することも可能であり、自然光の反射が表示パネルの表示効果に影響を及ぼすことを回避する。
さらに、色区画構造３２は、図３に示すように、ブラックマトリックス３２１を含み、又は  
【００３９】
図４に示すように、隣接する２つのフィルター３１のエッジが互いに重ね合わせて形成される。
【００４０】
図３に示すように、隣接する２つのフィルター３１の間には、色区画構造３２としてブラックマトリックス３２１が設けられており、ブラックマトリックス３２１は、光を吸収して、ブラックマトリックス３２１の位置で隣接する２つの画素セルの光の混色の問題を回避する一方、ブラックマトリックス３２１の位置で発生する自然光の反射を吸収して出射を回避することができる。
【００４１】
あるいは、図４に示すように、隣接する２つのフィルター３１の縁を重ね合わせることにより、色区画構造３２を形成する。例えば、緑色フィルター３１は、緑色光のみを透過し、他の色光は吸収して出射させないものであり、青色フィルター３１は、青色光のみを透過し、他の色光は吸収して出射させないものであり、緑色フィルター３１と青色フィルター３１とが重なっている部分については、ブラックマトリックス３２１と同様の効果を実現し、即ち、全ての光の透過を遮断し、且つブラックマトリックス３２１を設けることは必要がない。
【００４２】
好ましくは、図５に示すように、フィルター層３０は基板１０に支持され、フォトルミネセンス表示セル２１はパッケージ薄膜層４０によってパッケージされる。
【００４３】
図５に示すように、フィルター層３０は、基板１０に支持され、すなわち、フィルター層３０とフォトルミネセンス表示セル群２０は、同一の基板１０上に順に配置され、複数のフォトルミネセンス表示セル２１からなるフォトルミネセンス表示セル群２０が形成された後、パッケージフィルム層４０によってパッケージされる。例えば、表示パネルの発光素子は、下部発光の形態を採用し、即ち、基板１０上にフィルター層３０を形成し、フィルター層３０が形成された基板１０上にフォトルミネセンス表示セル群２０を形成し、ここで、フォトルミネセンス表示セル群２０の各フォトルミネセンス表示セル２１が発光する光の色と、対応するフィルター層３０の透過光の色と同じであり、且つフォトルミネセンス表示セル２１が共に下部が発光し、即ち、図５の矢印に示すように、基板１０側に向けて発光することができる。このような表示パネルは、製造工程において、まず、基板１０上にフィルター３１と、色区画構造３２とを含むフィルター層３０を作製し、通常、フィルター層３０を作製するために２００℃を超える温度でフィルター層３０の作製材料を高温硬化させ、高温硬化させてフィルター層３０を作製した後にフォトルミネセンス表示セル群２０の陽極層、発光層及び陰極層を作製するため、高温環境がフォトルミネセンス表示セル群２０の階層構造に悪影響を及ぼし、表示パネルの加工の歩留まり及び表示効果に影響を及ぼすことを回避する。
また、図６に示すように、フォトルミネセンス表示セル２１の基板１０から離れる側には、フィルター層３０が設けられている。
【００４４】
図６に示すように、表示パネルの発光素子は、上部発光方式を採用し、フォトルミネセンス表示セル２１が基板１０から離れる側に発光し、フィルター層３０は、フォトルミネセンス表示セル２１の基板１０から離れる側、すなわち、フォトルミネセンス表示セル２１の光出射側に設けられている。具体的な作成プロセスは、まず、基板１０上に複数のフォトルミネセンス表示セル群２０を作製し、次に、フォトルミネセンス表示セル群２０が作製された基板１０上に、フォトルミネセンス表示セル２１の発光色に対応するフィルター３１を有するフィルター層３０を作製する。ここで、フィルター層３０の作製材料中の添加剤材料の成分組成を変えることで、フィルター層３０の作製温度を１００℃以下に低下させることができ、既に作製済みのフォトルミネセンス表示セル群２０に高温によるダメージを与えることを回避する。
【００４５】
好ましくは、図８に示すように、表示パネルは、表示パネルの内部に配置され、パッケージフィルム層４０の基板１０から離れた側に配置されたタッチ構造５０をさらに含み、ここで、図８に示すように、タッチ構造５０による外部の自然光の反射をさらに低減するために、タッチ構造５０をフィルター層３０の基板１０に近い側に配置することが好ましい。フィルター層３０において隣接するフィルター３１の間には、色区画構造３２が配置され、タッチ構造５０の基板１０上への投影は、色区画構造３２の基板１０上への投影の範囲内にある。好ましくは、タッチ構造５０および色区画構造３２の製造温度も１００℃以下である。
【００４６】
さらに、図７に示すように、タッチ構造５０は、互いに平行な複数の第１タッチ電極５１及び第２タッチ電極５２を含み、第１タッチ電極５１と第２タッチ電極５２とは交差し、且つ互いに絶縁されている。
【００４７】
例えば、本開示の実施例のタッチ構造５０は、相互容量式タッチを採用し、交差し互いに絶縁されたタッチ電極及び検知電極を含み、すなわち、図７に示す第１タッチ電極５１及び第２タッチ電極５２のように、互いに絶縁された第１タッチ電極５１及び第２タッチ電極５２が、行列交差するように空間的に交差して重なり、第１タッチ電極５１と第２タッチ電極５２との空間的な交差重複の位置のそれぞれにおいて相互容量が発生し、ユーザがタッチ操作を行う際に指がタッチした位置において、人体電界の作用により、指と上方に位置する第１タッチ電極５１(又は第２タッチ電極５２)との間に結合容量が形成され、この結合容量は、第１タッチ電極５１と第２タッチ電極５２との間の相互容量の大きさに容量値の変化の影響を与えて、指がタッチ機構５０上でタッチ操作されたときの具体的な位置座標情報を求める。
【００４８】
ここで、交差して互いに絶縁された第１タッチ電極５１及び第２タッチ電極５２は、相異する層で設けられてもよく、同層で設けられてもよく、第１タッチ電極５１で離隔された隣接する２つの第２タッチ電極５２間をブリッジにより電気的に接続し、又は、第２タッチ電極５２で離隔された隣接する２つの第１タッチ電極５１間をブリッジにより電気的に接続する。本開示の実施例において、タッチ構造５０の具体的な配置は限定されない。一例として、図７に示すように、第１タッチ電極５１と第２タッチ電極５２とは、異なる層で配置され、第１タッチ電極５１と第２タッチ電極５２との間は絶縁層によって絶縁される。
【００４９】
なお、第１に、図８は、図７におけるＡ１−Ａ２−Ａ３−Ａ４−Ａ５−Ａ６の線に沿う断面図であり、Ａ１−Ａ２−Ａ３−Ａ４−Ａ５−Ａ６の線に沿う断面図は、タッチ構造５０およびタッチ構造５０と発光表示ユニット２１との縦方向の階層関係について具体的に示すことができる。
【００５０】
第２に、当業者は、表示パネル上にタッチ構造５０を配置する場合、１つのタッチセルは、１つの画素セルよりもはるかに大きく、通常、指またはスタイラスのタッチ操作のタッチ点は、大きいので、一般に、１つの画素セル内に精細されることはなく、１つのタッチセルは、１００個の画素セルの範囲を含むことができ、本開示の実施例におけるタッチセルと画素セルとの間の配置の比率は、特に限定しなく、図７および図９に示すように、説明を容易にするために、図示された模式図において１つのタッチセルが１つの画素セルに対応するが、本開示の実施例における表示パネルが、そのような構造で必ず配置されることを意味するものではないことを理解するであろう。また、画素セルは、図７及び図９に示すような矩形に限らず、例えば菱形構造などであってもよく、本開示の実施例において、特に限定されない。
【００５１】
第三に、当該技術分野におけるフィルム層によるパッケージ技術では、パッケージ効果を高めるために、パッケージフィルム層４０は、通常、多層構造であり、基本の階層として、上下の無機層に有機層を介在させた三層積層の形態、すなわち、無機層/有機層/無機層である。ここで、無機層は、窒化ケイ素材料、酸化シリコン材料、酸窒化シリコン材料、またはそれらを複合した複合層であってもよく、有機層は、アクリル樹脂材料、エポキシ樹脂材料、またはそれらの両方を複合した複合層であってもよい。加えて、パッケージ効果をさらに向上させ、具体的な表示パネルにおけるパッケージ膜層に対する実際の要求に応じて、上記３層の積層構造に加えて、無機層を設ける前後に、酸化アルミニウム材料や酸化ケイ素などの材料で作られた１層または複数層の原子層堆積層(ＡＬＤ)をさらに設けてもよい。３層のパッケージフィルム層上に１層の原子層堆積層を増設する例を挙げ、少なくとも以下の４種類の配置の構成順を含むことができる。１、無機層/原子層堆積層/有機平坦層/無機層であり、２、無機層/有機平坦層/原子層堆積層/無機層であり、３、原子層堆積層/無機層/有機平坦層/無機層であり、４、無機層/有機平坦層/無機層/原子層堆積層である。
【００５２】
さらに、第２タッチ電極５２は、図９に示すように、第１タッチ電極５１と同層に配置され、第１タッチ電極５１により間隔をあけて配置される複数の第２サブタッチ電極５２１を含み、第２サブタッチ電極５２１の間は、ブリッジ５２２によって接続され、ブリッジ５２２と第１タッチ電極５１との間は、図１０に示すように、絶縁層５３によって絶縁され、又は、ブリッジ５２２と第１タッチ電極５１との間は、図１１に示すように、絶縁パターン５３１によって絶縁される。
【００５３】
図９に示すように、第１タッチ電極５１と第２タッチ電極５２とは同層に配置され、第２タッチ電極５２は、第１タッチ電極５１により間隔をあけて配置された複数の第２サブタッチ電極５２１からなり、第１タッチ電極５１の両側に間隔をあけて配置された第２サブタッチ電極５２１同士は、ブリッジ５２２により接続されている。図１０に示すように、ブリッジ５２２と第１タッチ電極５１との間は、絶縁層５３によって絶縁されており、これにより、第１タッチ電極５１と第２タッチ電極５２との間は、空間的に交差し、互いに絶縁された関係を維持することができ、第２タッチ電極５２を構成する複数の第２サブタッチ電極５２１と、隣接する２つの第２サブタッチ電極５２１のブリッジ５２２との間は、互いに接続されている。あるいは、図１１に示すように、絶縁パターン５３１によってブリッジ５２２と第１タッチ電極５１との間が互いに絶縁されてもよい。絶縁層５３と絶縁パターン５３１の役割は、いずれもブリッジ５２２と第１タッチ電極５１との間を互いに絶縁することであり、両者の役割は同じであり、当業者が必要に応じて選択して設置することができる。
【００５４】
なお、ブリッジ５２２は、図１０に示す上ブリッジであってもよいし、下ブリッジであってもよく、即ち、絶縁層５３または絶縁パターン５３１が同層に配置された第１タッチ電極５１と第２タッチ電極５２の下に配置され、ブリッジ５２２が絶縁層５３または絶縁パターン５３１を下方に跨ぐようにして隣接する２つの第２サブタッチ電極５２１を接続し、本開示の実施例において、ブリッジ５２２が上ブリッジであるか下ブリッジであるかは特に限定されず、当業者が実際の必要に応じて具体的に配置することができる。
【００５５】
また、一例として、図１２ｄに示すように、橋渡しの形態のタッチ構造５０を設けることもできる。具体的には、まず、図１２ａに示すように、基板１０上に作製したフォトルミネセンス表示セル群２０に薄膜パッケージし、即ち、パッケージ薄膜層４０を設けた後、まず、タッチ電極層の第１層を作製する。次に、図１２ｂに示すように、タッチ電極層の第１層の上にブラックマトリックス３２１を配置する。図１２cに示すように、ブラックマトリックス３２１の縁に、第２層、第３層のタッチ電極層を制作して、多層構造の第２タッチ電極５２を完成させる。図１２ｄに示すように、次に、ブラックマトリックス３２１上に第１タッチ電極５１をさらに形成して、ここで、第１タッチ電極５１と第２タッチ電極５２との間が絶縁されて、多重橋渡しの形態のタッチ構造５０を形成する。
【００５６】
絶縁層５３または絶縁パターン５３１は、有機材料で作製されることが好ましい。
【００５７】
絶縁層５３または絶縁パターン５３１は、窒化ケイ素、酸窒化ケイ素、酸化ケイ素などの無機材料から形成されてもよい。絶縁層５３または絶縁パターン５３１は、アクリル樹脂、エポキシ樹脂、シリコーン樹脂などの有機材料を用いることが好ましく、有機材料は、優れた応力吸収特性を有するため、本開示の実施例の表示パネルがフレキシブル基板を用いて折りたたみ可能な表示パネルに用いられる場合、表示パネルを折り曲げ操作する際に、有機材料の絶縁層５３または絶縁パターン５３１が、応力を良く吸収し、応力がかかり過ぎて表示パネルの内部にストレスクラックが発生するリスクを低減することができる。
【００５８】
さらに、図１３に示すように、隣接するフィルター３１の間には、色区画構造３２が設けられ、第１タッチ電極５１と第２タッチ電極５２は、色区画構造３２によって互いに絶縁される。
【００５９】
第１タッチ電極５１と第２タッチ電極５２は、色区画構造３２によって互いに絶縁され、一例として、図１３に示すように、第１タッチ電極５１と第２タッチ電極５２は、同層に配置され、第１タッチ電極５２は、複数の第２サブタッチ電極５２１と、隣接する２つの第２サブタッチ電極５２１を接続するブリッジ５２２とを含み、ここで、第１タッチ電極５１とブリッジ５２２が、色区画構造３２の両側にそれぞれ配置されることによって、第１タッチ電極５１と第２タッチ電極５２との間が互いに絶縁され、この場合、タッチ構造５０に絶縁層５３又は絶縁パターン５３１の階層構造を追加する必要がなく、色区画構造３２を絶縁層５３又は絶縁パターン５３１として利用すればよく、本発明の実施例に係る表示パネルの厚さを低減させることができる。
【００６０】
好ましくは、図６に示すように、基板１０上には、複数の開口を有する画素限定層６０がさらに設けられ、開口位置にフォトルミネセンス表示セル２１が配置され、また、好ましくは、画素限定層６０は、遮光性材料で形成される。
図６に示すように、画素限定層６０の開口にフォトルミネセンス表示セル２１が配置され、且つ画素限定層６０が遮光性材料で形成されることによって、外部の自然光が本発明の表示パネルに入射する場合、画素限定層６０の位置に照射される光が遮光性材料によって遮られて吸収されるので、本発明の表示パネルの外部光の反射現象がさらに防止される。
【００６１】
さらに、図１４に示すように、画素限定層６０の上にスペーサ７０がさらに設けられ、好ましくは、スペーサ７０の上部面積は、下部面積より大きい。
【００６２】
これにより、図１４に示すように、パッケージフィルム層４０とフォトルミネセンス表示セル群２０との接続の層間の材料の密着性が不十分となり、本開示の表示パネルの折り曲げ操作時にパッケージフィルム層４０とフォトルミネセンス表示セル群２０との接続の層間で剥離が生じ易くなり、フォトルミネセンス層が水や酸素による腐食を受け易くなって表示パネル全体が不良となるおそれがあり、上面の面積が下面の面積よりも大きいスペーサ７０を用いることで、表示パネルの折り曲げ操作時にパッケージフィルム層４０とフォトルミネセンス表示セル群２０との接続の層間で剥離が生じるリスクを低減することができる。
【００６３】
なお、本開示の実施例におけるスペーサ７０の形状は、図１４に示すような逆台形に限定されず、スペーサ７０の形状は、下面の面積よりも上面の面積が大きい形状であればよい。例えば、スペーサの平面視の形状は、円形、正方形、長方形、楕円形などであってもよい。本開示の実施例は、スペーサ７０が設けられる密度も限定しない。
【００６４】
好ましくは、図６に示すように、隣接するフィルター３１の間に、ブラックマトリックス３２１を含む色区画構造３２が設けられる。ブラックマトリックス３２１の基板１０への投影は、画素限定層６０の基板１０への投影位置に対応する。
【００６５】
このように、ブラックマトリックス３２１の基板１０への投影が、画素限定層６０の基板１０への投影位置に対応するため、本開示の実施例による表示パネルの内部に入射する自然光についても、ブラックマトリックス３２１による遮蔽及び吸収によって、反射光が出射して表示パネルの表示効果に影響を与えること回避することができる。
【００６６】
さらに、図１５に示すように、フォトルミネセンス表示セル２１は、パッケージフィルム層４０によってパッケージされ、タッチ構造５０とパッケージフィルム層４０との間に緩衝層８０がさらに設けられる。
【００６７】
このように、図１５に示すように、タッチ構造５０とパッケージフィルム層４０との間に緩衝層８０を設けることにより、本発明の実施例に係る表示パネルを実際に使用する際に、ユーザがタッチ操作を行う時に、タッチ操作によって表示パネルに加えられる力が緩衝層８０の緩衝により弱くなり、タッチ操作による力が表示パネルのパッケージフィルム層４０によるパッケージ効果に悪影響を及ぼすことを低減することができる。
好ましくは、図１５に示すように、フィルター層３０上に、保護層９０がさらに設けられる。
【００６８】
このように、保護層９０は、その下に配置されるフィルター層３０及びタッチ構造５０を効果的に保護し、タッチ動作によるフィルター層３０及びタッチ構造５０の損傷を回避し、本開示の実施例による表示パネルにおけるフィルター層３０及びタッチ構造５０の使用寿命を向上させることができる。
【００６９】
さらに、保護層９０は、光学透明接着剤(ＯＣＡ)または光学透明樹脂(ＯＣＲ)または感圧接着剤(ＰＳＡ)によって、タッチ構造体５０のタッチ操作面に貼り付け固定される。ここで、保護層９０は、１層または複数層で設けられてもよい。
【００７０】
本発明の実施例において、保護層９０の層数及び保護層９０の厚さは特に限定されないが、保護層９０は、層全体として設定するため、表示パネルの画面表示に影響を与えないように、透明な材質からなる。保護層９０と表示パネルの他の構成との間の固定が不十分となることにより位置ずれや脱落の問題を低減するためには、好ましくは、保護層９０とタッチ構造５０のタッチ操作面との間を光学透明接着剤、光学透明樹脂又は感圧接着剤で貼り付け固定し、光学透明接着剤、光学透明樹脂又は感圧接着剤も透明状であるため、表示パネルの表示に影響を与えない。ここで、光学透明接着剤、光学透明樹脂、又は、感圧接着剤の膜厚は、保護層９０とタッチ構造体５０との間を強固にすることができる限り、特に限定されない。ここで、保護層９０は、ポリイミド、ポリウレタンなどを含む材料を用いて作製することができる。
【００７１】
また、本開示の実施例の表示パネルは、以上の説明、すなわち、図面に示した階層構造の他、表示パネルの通常表示をサポートする他の層構造をも含み、例えば、図１６に示したように、機能膜層０２上には、例えば、感圧接着剤層０１が設けられており、感圧接着剤層０１上に基板１０が配置され、基板１０は、可撓性又はガラス基板本体と、前記可撓性又はガラス基板本体上に配置された背板及びその保護部材とを有し、基板１０の上には、フォトルミネセンス表示セル群２０の階層構造が設けられ、ここで、表示パネルには、通常、表示領域と、表示領域を囲む縁領域とが区画されており、フォトルミネセンス表示セル群２０は、表示パネルの表示領域に設けられ、縁領域にはさらに金属配線０３が設けられており、フォトルミネセンス表示セル群２０及び金属配線０３が設けられた基板１０上にパッケージフィルム層４０によりパッケージし、パッケージフィルム層４０上にバッファ層８０を設けた後、タッチ構造５０及びフィルター層３０が配置される。ここで、タッチ構造５０を先に配置した後にフィルター層３０を配置することは、本開示の実施例の１つの方式に過ぎず、以上のように、タッチ構造５０及びフィルター層３０の前述の具体的な説明において、２つの他の積層配置関係も含む。通常、表示パネルの縁領域の光漏れ現象を低減するために、縁領域でのフィルター層３０と同層の位置に遮光構造０４を設けることで、金属配線の外部の環境光の反射を低減し、遮光構造０４は、通常、ブラックマトリックスであってもよい。光漏れを低減する効果をさらに高めるために、図１６に示すように、表示領域にフィルター層３０を設けるとともに、縁領域のブラックマトリックス上に遮光構造０４として異なる色のフィルター積層構造を１層または複数層に積層して設け、遮光構造０４の吸光効果をさらに高め、縁領域における外部の光の反射を低減し、縁領域の遮光構造０４の黒さと表示効果を増加させるようにしてもよい。
【００７２】
本開示の実施例は、また、上記いずれかの表示パネルを備えた表示装置を提供する。
【００７３】
本開示の表示装置は、上記のいずれかの表示パネルを備えたものであり、表示パネルにおいて、フォトルミネセンス表示セル２１の光出射側に、フォトルミネセンス表示セル２１が発光する光の色に対応するフィルター３１からなるフィルター層３０を設けることで、外界で光出射側から入射する自然光は、まずフィルター層３０を通過して表示装置内部に入り、内部の金属材料で反射した後、再びフィルター層３０を通過して出射される時に、その反射光はフィルター３１を通過してフィルター３１に応じた色の光となり、対応する位置のフォトルミネセンス表示セル２１からの光と共に出射され、即ち、反射光線を表示に寄与する出射光に調整することができ、従って、表示装置に反射低減のための円偏光板を設ける必要がなく、表示装置の厚さを薄く、本開示の表示装置をフレキシブル表示に用いる場合に薄くなった表示装置が折れ曲がりやすくなり、折り機能を容易に実現することができる。
【００７４】
以上、表示パネルの具体的な説明において、本開示の表示パネルを備えた表示装置については既に詳細に説明したので、ここでは説明を省略する。
【００７５】
以上、本開示の具体的な実施例について説明したが、本開示の技術的範囲はこれに限定されるものではなく、本開示の技術的範囲内で当業者であれば容易に想到することができる変更または置換を、本開示の技術的範囲内に包含するものである。したがって、本開示の保護範囲は、特許請求の範囲の保護範囲に準ずるものとする。
【符号の説明】
【００７６】
１０  基板
２０  フォトルミネセンス表示セル群、フォトルミネセンス表示セルセット
２１  発光表示ユニット、フォトルミネセンス表示セル
３０  フィルター層
３１  青色フィルター、赤色フィルター、緑色フィルター、フィルター
３２  色区画構造
４０  パッケージ薄膜層、パッケージフィルム層
５０  タッチ機構、タッチ構造体、タッチ構造
５１  第１タッチ電極
５２  第２タッチ電極
５３  絶縁層
６０  画素限定層
７０  スペーサ
８０  緩衝層、バッファ層
９０  保護層
３２１  ブラックマトリックス
５２１  第２サブタッチ電極
５２２  ブリッジ
５３１  絶縁パターン
【図１】
2021510206.tif 000003
【図２】
2021510206.tif 000004
【図３】
2021510206.tif 000005
【図４】
2021510206.tif 000006
【図５】
2021510206.tif 000007
【図６】
2021510206.tif 000008
【図７】
2021510206.tif 000009
【図８】
2021510206.tif 000010
【図９】
2021510206.tif 000011
【図１０】
2021510206.tif 000012
【図１１】
2021510206.tif 000013
【図１２ａ】
2021510206.tif 000014
【図１２ｂ】
2021510206.tif 000015
【図１２ｃ】
2021510206.tif 000016
【図１２ｄ】
2021510206.tif 000017
【図１３】
2021510206.tif 000018
【図１４】
2021510206.tif 000019
【図１５】
2021510206.tif 000020
【図１６】
2021510206.tif 000021
【国際調査報告】
2021510206.tif 000022
2021510206.tif 000023
2021510206.tif 000024
2021510206.tif 000025
2021510206.tif 000026